【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
画像処理装置であって、
入力画像データに含まれる入力画像信号値のうち所定の色に対応する信号値を変換して均等色空間の信号である第１の信号値として取得し、前記画像処理装置が画像を出力する際に用いる色空間の信号値のうち前記所定の色に対応する信号値を変換して前記均等色空間の信号である第２の信号値として取得する取得手段と、
前記所定の色に対応するルックアップテーブル上の格子点座標の値を決定する決定手段と、
前記取得手段により取得した前記第１の信号値と前記決定手段にて決定された格子点座標の値とを対応づけ、当該対応に基づいて、前記均等色空間の信号値それぞれを格子点座標の値に変換するための第１のマトリクスを算出する第１の算出手段と、
前記取得手段により取得した前記第２の信号値と前記決定手段にて決定された格子点座標の値とを対応づけ、当該対応に基づいて、格子点座標の値それぞれを前記均等色空間の信号値に変換するための第２のマトリクスを算出する第２の算出手段と、
前記第２のマトリクスと、前記均等色空間の信号を前記画像処理装置が画像を出力する際に用いる色空間の信号値に変換するための色空間情報とを用いて、格子点座標の値それぞれを前記画像処理装置が画像を出力する際に用いる色空間の信号値へ変換するためのルックアップテーブルを生成する生成手段と、
前記第１のマトリクスと前記ルックアップテーブルとを用いて、前記入力画像信号値を前記画像処理装置が画像を出力する際に用いる色空間の信号値へ変換する色変換手段と、
を有することを特徴とする画像処理装置。
【請求項２】
前記所定の色は、白もしくは、白を含む複数の種類の色であることを特徴とする請求項１に記載の画像処理装置。
【請求項３】
前記所定の色の種類の指定を受け付ける受付手段を更に有し、
前記決定手段、前記第１の算出手段、および前記第２の算出手段は、前記受付手段にて受け付けた色に基づいて処理を行うことを特徴とする請求項２に記載の画像処理装置。
【請求項４】
前記受付手段は更に、前記所定の色に対応する前記均等色空間での信号値を受け付けることを特徴とする請求項３に記載の画像処理装置。
【請求項５】
前記受付手段にて受け付けた白色に対応する前記均等色空間での信号値と、前記取得手段にて前記第１の信号値として取得された白色に対応する前記均等色空間での信号値とが異なる場合、値の差分に基づき、前記受付手段にて指定された白以外の所定の色に対応する前記均等色空間での信号の値を補正する補正手段を更に有し、
前記第１の算出手段、および、前記第２の算出手段は、前記補正手段にて補正された信号の値を用いてマトリクスの算出を行うことを特徴とする請求項４に記載の画像処理装置。
【請求項６】
前記決定手段が決定する格子点座標の値は、前記所定の色の種類ごとに予め定義されていることを特徴とする請求項２乃至５のいずれか一項に記載の画像処理装置。
【請求項７】
前記取得手段により前記第１の信号値として取得された白色の信号値と、前記第２の信号値として取得された白色の信号値とは同一であることを特徴とする請求項１乃至６のいずれか一項に記載の画像処理装置。
【請求項８】
前記取得手段により前記第１の信号値として取得された白色の信号値と、前記第２の信号値として取得された白色の信号値とは異なることを特徴とする請求項１乃至６のいずれか一項に記載の画像処理装置。
【請求項９】
色空間の候補として複数の色空間が定義され、
前記複数の色空間の中から前記画像処理装置が画像を出力する際に用いる色空間の選択を受け付ける手段を更に有することを特徴とする請求項１乃至８のいずれか一項に記載の画像処理装置。
【請求項１０】
画像処理装置にて実行される画像処理方法であって、
入力画像に含まれる入力画像信号値のうち所定の色に対応する信号値を変換して均等色空間の信号である第１の信号値として取得し、前記画像処理装置が画像を出力する際に用いる色空間の信号値のうち前記所定の色に対応する信号値を変換して前記均等色空間の信号である第２の信号値として取得する取得工程と、
前記所定の色に対応するルックアップテーブル上の格子点座標の値を決定する決定工程と、
前記取得工程にて取得した前記第１の信号値と前記決定工程にて決定された格子点座標の値とを対応づけ、当該対応に基づいて、前記均等色空間の信号値それぞれを格子点座標の値に変換するための第１のマトリクスを算出する第１の算出工程と、
前記取得工程にて取得した前記第２の信号値と前記決定工程にて決定された格子点座標の値とを対応づけ、当該対応に基づいて、格子点座標の値それぞれを前記均等色空間の信号値に変換するための第２のマトリクスを算出する第２の算出工程と、
前記第２のマトリクスと、前記均等色空間の信号を前記画像処理装置が画像を出力する際に用いる色空間の信号値に変換するための色空間情報とを用いて、格子点座標の値それぞれを前記画像処理装置が画像を出力する際に用いる色空間の信号値へ変換するためのルックアップテーブルを生成する生成工程と、
前記第１のマトリクスと前記ルックアップテーブルとを用いて、前記入力画像信号値を前記画像処理装置が画像を出力する際に用いる色空間の信号値へ変換する色変換工程と、
を有することを特徴とする画像処理方法。
【請求項１１】
コンピュータを、
入力画像データに含まれる入力画像信号値のうち所定の色に対応する信号値を変換して均等色空間の信号値である第１の信号値として取得し、前記コンピュータが画像を出力する際に用いる色空間の信号値のうち前記所定の色に対応する信号値を変換して前記色空間の信号である第２の信号値として取得する取得手段、
前記所定の色に対応するルックアップテーブル上の格子点座標の値を決定する決定手段、
前記取得手段により取得した前記第１の信号値と前記決定手段にて決定された格子点座標の値とを対応づけ、当該対応に基づいて、前記均等色空間の信号値それぞれを格子点座標の値に変換するための第１のマトリクスを算出する第１の算出手段、
前記取得手段により取得した前記第２の信号値と前記決定手段にて決定された格子点座標の値とを対応づけ、当該対応に基づいて、格子点座標の値それぞれを前記均等色空間の信号値に変換するための第２のマトリクスを算出する第２の算出手段、
前記第２のマトリクスと、前記均等色空間の信号を前記コンピュータが画像を出力する際に用いる色空間の信号値に変換するための色空間情報とを用いて、格子点座標の値それぞれを前記コンピュータが画像を出力する際に用いる色空間の信号値へ変換するためのルックアップテーブルを生成する生成手段、
前記第１のマトリクスと前記ルックアップテーブルとを用いて、前記入力画像信号値を前記コンピュータが画像を出力する際に用いる色空間の信号値へ変換する色変換手段、
として機能させるためのプログラム。
【手続補正２】
【補正対象書類名】明細書
【補正対象項目名】発明の名称
【補正方法】変更
【補正の内容】
【発明の名称】画像処理装置、画像処理方法、及びプログラム
【手続補正３】
【補正対象書類名】明細書
【補正対象項目名】０００７
【補正方法】変更
【補正の内容】
【０００７】
上記課題を解決するために本願発明は以下の構成を有する。すなわち、画像処理装置であって、入力画像データに含まれる入力画像信号値のうち所定の色に対応する信号値を変換して均等色空間の信号である第１の信号値として取得し、前記画像処理装置が画像を出力する際に用いる色空間の信号値のうち前記所定の色に対応する信号値を変換して前記均等色空間の信号である第２の信号値として取得する取得手段と、前記所定の色に対応するルックアップテーブル上の格子点座標の値を決定する決定手段と、前記取得手段により取得した前記第１の信号値と前記決定手段にて決定された格子点座標の値とを対応づけ、当該対応に基づいて、前記均等色空間の信号値それぞれを格子点座標の値に変換するための第１のマトリクスを算出する第１の算出手段と、前記取得手段により取得した前記第２の信号値と前記決定手段にて決定された格子点座標の値とを対応づけ、当該対応に基づいて、格子点座標の値それぞれを前記均等色空間の信号値に変換するための第２のマトリクスを算出する第２の算出手段と、前記第２のマトリクスと、前記均等色空間の信号を前記画像処理装置が画像を出力する際に用いる色空間の信号値に変換するための色空間情報とを用いて、格子点座標の値それぞれを前記画像処理装置が画像を出力する際に用いる色空間の信号値へ変換するためのルックアップテーブルを生成する生成手段と、前記第１のマトリクスと前記ルックアップテーブルとを用いて、前記入力画像信号値を前記画像処理装置が画像を出力する際に用いる色空間の信号値へ変換する色変換手段と、を有する。